(57)【要約】      （修正有）【課題】玩具銃弾込め位置決め装置を提供する。【解決手段】銃管１及び摺動スリーブ２を含み、銃管１は、両端が相通して弾体をガイドする銃腔１１を有し、一端近傍の外周上面に内向きに銃腔１１を連通する溝孔１２を設け、銃腔１１底面が軸方向に延伸するガイド溝１３を相対して凹設し、銃管１一端が内向きに徐々に減縮するガイド溝１３の幅、及び徐々に減縮するガイド溝１３の深さを有し、ガイド溝１３両側の溝辺に共同で弾体４を支持するようガイドさせ、中空状弾性筒体２１を有し、摺動スリーブ２は、銃管１の一端に被せ置き、該筒体２１内部に内向きに銃管１の相対する溝孔１２に伸入する摺動部２２を設け、ガイド溝１３両側の溝辺を利用して弾体４を支持するよう共同でガイドし、摺動部２２を合わせ、下向きに弾体１を圧制し、弾体１を精確な弾込めを行わせ、３点位置決めを形成させる。【選択図】図７
0003196048.tif 000002
【実用新案登録請求の範囲】
【請求項１】
両端が相通して弾体をガイドする銃腔を有し、一端近傍の外周上面に内向きに銃腔を連通する溝孔を設け、銃腔底面が軸方向に延伸するガイド溝を相対して凹設し、該ガイド溝は、両側が相対する溝辺、銃管一端が内向きに徐々に減縮するガイド溝の幅、及び徐々に減縮するガイド溝の深さを有し、ガイド溝両側の溝辺に共同で弾体を支持するようガイドさせる銃管と、
中空状弾性筒体を有し、銃管の一端に被せ置き、該筒体内部に内向きに銃管の相対する溝孔に伸入する摺動部を設け、摺動部に弾体を下向きの切圧するよう制御させる摺動スリーブと、
を含む玩具銃弾込め位置決め装置。
【請求項２】
前記銃腔のガイド溝は、円弧形断面として設けられる請求項１に記載の玩具銃弾込め位置決め装置。
【請求項３】
前記摺動スリーブ内部の銃管一端と摺動部の間に位置決め凸部を設け、該位置決め凸部は、内向きに銃管の溝孔及び銃腔内に伸入し、下向きに弾体を下向きに押圧する請求項１に記載の玩具銃弾込め位置決め装置。
【請求項４】
前記摺動スリーブの位置決め凸部は、両側を互いに隔てる突出部を設ける請求項３に記載の玩具銃弾込め位置決め装置。
【請求項５】
前記銃管の一端の外周底面及び両側にそれぞれ軸方向に延伸する嵌合溝を設け、該摺動スリーブ内部に嵌合溝に対応して組み合わさる複数の嵌合部を設ける請求項１に記載の玩具銃弾込め位置決め装置。
【請求項６】
前記銃管の外周の各嵌合溝末端に径方向環溝を互いに連なって設け、該摺動スリーブに径方向環溝に対応して嵌合する内凸リングを設ける請求項５に記載の玩具銃弾込め位置決め装置。
【考案の詳細な説明】
【技術分野】
【０００１】
本考案は、玩具銃弾込め位置決め装置に関し、特に、ＢＢ弾玩具銃の弾込め位置決め装置に関する。
【背景技術】
【０００２】
従来の銃弾は、射撃過程において、錐形弾頭が螺旋ライフルのロータリーカット効果を利用して、出撃後の弾体をその縦方向のヨークシャフトに従って旋転可能にさせ、射程及び命中率を向上させている。
【０００３】
しかしながら、従来のＢＢ弾玩具銃は、螺旋ライフルを有さず、従って、図１に示すように、ＢＢ弾９５は、ただ銃腔９２内の摺動部材９３を利用して摩擦力作用を発生することのみでき、弾体に射出後に上向きの回転動力を取得させ、且つ摺動部材９３は、弾体の射撃前の初歩位置決めを行うことができ、発射システムが出力する圧力を伝達させ、弾体を押し出させ、ＢＢ弾９５の射出後に空気中の空気抵抗力を排除させ、射程距離を向上させることができる。
【０００４】
但し、玩具銃自身の銃管９１内の摺動部材９３は、ただ単一方向にＢＢ弾９５をブロックし、ＢＢ弾９５及び銃腔９２内の周面は、単点のみで接触し、従って弾押しノズル９４の射撃前に弾体を押し込んで位置決めする尺度は、誤差が生じ易く、ＢＢ弾９５の位置決め点は、更に偏差を発生し易く、各射撃する弾体が何れも瞬間的な高圧衝突反発力を獲得できるように確保することができず、且つ摺動部材９３は、相対して効率的にＢＢ弾９５に施圧することができず、ＢＢ弾９５の発射後、平行な動作移動を形成し、回転能力を相対して低減させ、射出後のＢＢ弾９５に射程距離を短くさせ、運動エネルギーも速度の低下により減少し、命中率に影響を及ぼす。従って、上記問題を如何に解決するかは、関連業者が研究を欲する課題の所在となっている。
【先行技術文献】
【特許文献】
【０００５】
【特許文献１】登録実用新案第３０３０４３８号公報
【考案の概要】
【考案が解決しようとする課題】
【０００６】
本考案の主な目的及び使用効果は、銃腔底面を利用して錐形状のガイド溝両側の溝辺において、共同で弾体を支持するようガイドし、摺動部を組み合わせ、下向きに弾体を圧制し、弾体に精確な弾込めを行わせ、３点位置決めを形成させることができるようにし、弾体に歪み誤差を発生させることを回避し、弾体の発射が発生する自転速度を向上し、射程、有効運動エネルギー及び命中率を向上させる。
【課題を解決するための手段】
【０００７】
上記目的を達成する為、本考案が提供する玩具銃弾込め位置決め装置は、両端が相通して弾体をガイドする銃腔を有し、一端近傍の外周上面に内向きに銃腔を連通する溝孔を設け、銃腔底面が軸方向に延伸するガイド溝を相対して凹設し、該ガイド溝は、両側が相対する溝辺、銃管一端が内向きに徐々に減縮するガイド溝の幅、及び徐々に減縮するガイド溝の深さを有し、ガイド溝両側の溝辺に共同で弾体を支持するようガイドさせる銃管と、中空状弾性筒体を有し、銃管の一端に被せ置き、該筒体内部に内向きに銃管の相対する溝孔に伸入する摺動部を設け、摺動部に弾体を下向きに施圧するよう制御させる摺動スリーブと、を含む。
【０００８】
前記玩具銃弾込め位置決め装置の該銃腔のガイド溝は、円弧形断面として設けられる。
【０００９】
前記玩具銃弾込め位置決め装置の該摺動スリーブ内部の銃管一端と摺動部の間に位置決め凸部を設け、該位置決め凸部は、内向きに銃管の溝孔及び銃腔内に伸入し、下向きに弾体を下向きに押圧する。
【００１０】
前記玩具銃弾込め位置決め装置の該摺動スリーブの位置決め凸部は、両側を互いに隔てる突出部を設ける。
【００１１】
前記玩具銃弾込め位置決め装置の該銃管の一端の外周底面及び両側にそれぞれ軸方向に延伸する嵌合溝を設け、該摺動スリーブ内部に嵌合溝に対応して組み合わさる複数の嵌合部を設ける。
【００１２】
前記玩具銃弾込め位置決め装置の該銃管の外周の各嵌合溝末端に径方向環溝を互いに連なって設け、該摺動スリーブに径方向環溝に対応して嵌合する内凸リングを設ける。
【考案の効果】
【００１３】
本考案の玩具銃弾込め位置決め装置は、銃管及び摺動スリーブを含み、銃管は、両端が相通して弾体をガイドする銃腔を有し、一端近傍の外周上面に内向きに銃腔を連通する溝孔を設け、銃腔底面が軸方向に延伸するガイド溝を相対して凹設し、銃管一端が内向きに徐々に減縮するガイド溝の幅、及び徐々に減縮するガイド溝の深さを有し、ガイド溝両側の溝辺に共同で弾体を支持するようガイドさせ、中空状弾性筒体を有し、摺動スリーブは、銃管の一端に被せ置き、該筒体内部に内向きに銃管の相対する溝孔に伸入する摺動部を設け、ガイド溝両側の溝辺を利用して弾体を支持するよう共同でガイドし、摺動部を合わせ、下向きに弾体を圧制し、弾体を精確な弾込めを行わせ、３点位置決めを形成させ、弾体の歪み誤差の発生を回避し、弾体の発射が発生する自転速度を向上し、射程、有効運動エネルギー及び命中率を向上させる。
【図面の簡単な説明】
【００１４】
【図１】従来のＢＢ弾玩具銃の弾込め状態の説明図である。
【図２】本考案の好適実施例の玩具銃の弾込め位置決め装置の構造図である。
【図３】本考案の好適実施例の玩具銃の弾込め位置決め装置の立体図である。
【図４】本考案の好適実施例の玩具銃の弾込め位置決め装置の立体分解図である。
【図５】図２のＡ−Ａ切断線の断面図である。
【図６】図２のＢ−Ｂ切断線の断面図である。
【図７】図２の弾込め状態の説明図である。
【図８】図７のＢＢ弾の発射過程の説明図である。
【図９】本考案のもう１つの実施例の玩具銃の弾込め位置決め装置の構造図である。
【図１０】図９のＣ−Ｃ断面線の断面図である。
【考案を実施するための形態】
【００１５】
本考案の上記目的を達成する為に採用する技術手段及び効果について、可能な実施例を挙げ、図面を合わせて以下に説明する。
【００１６】
先ず、図２〜図７に示すように、図から明確に分かるように、本考案の玩具銃弾込め位置決め装置は、主に銃管１及び摺動スリーブ２を含み、弾押しノズル３にＢＢ弾型式弾体４を押し込んで前進位置決めさせ、後続の射撃動作を行うことができるようにする。
【００１７】
該銃管１は、両端が相通して弾体４をガイドする銃腔１１を有し、該銃管１は、一旦近傍の外周上面に内向きに銃腔１１を連通する溝孔１２を設け、銃腔１１底面に軸方向に延伸する錐形状ガイド溝１３を相対して凹設し、図２及び図５〜図７を参照し、ガイド溝１３は、両側が相対する溝辺１５、銃管１の一端から内向きに徐々に減縮するガイド溝１３の幅、及び内向きに徐々に減縮するガイド溝１３の深さを有し、銃腔１１のガイド溝１３は、円弧形断面に設けられ、ガイド溝１３両側の溝辺１５に共同で上向きに弾体４を保持するようガイドし、銃管１の一端の外周底面及び両側にそれぞれ軸方向に延伸する嵌合溝１４を設け、銃管１外周の各嵌合溝１４末端に径方向環溝１６を互いに連なって設ける。
【００１８】
該摺動スリーブ２は、中空状弾性筒体２１及び筒口２５を有し、銃管１の一端に被せ置かれ、該筒体２１内部に内向きに銃管１の相対するガイド孔１２に伸入する摺動部２２を設け、摺動スリーブ２内部に嵌合溝１４に対応して組み合わさる複数の嵌合部２４を設け、摺動スリーブ２は、径方向環溝１６に対応して嵌合する内凸リング２６を見受け、摺動スリーブ２内部の銃管１一端と摺動部２２との間に位置決め凸部２３を設け、位置決め凸部２３を銃管１の溝孔１２及び銃腔１１内に内向きに伸入させ、下向きに弾体４後段を押圧し、摺動部２２は、下向きに弾体４前段を施圧するよう制御する。
【００１９】
上記のように、玩具銃がＢＢ弾弾込め動作を実施する時、図７に示すように、弾押しノズル３を利用して弾体４を銃腔１１に押し込み、摺動スリーブ２の摺動部２２と位置決め凸部２３が力を受けて押下され、位置決め凸部２３を内向きに銃管１の溝孔１２及び銃腔１１内に伸入させ、下向きに弾体４後段を押下し、摺動部２２は、下向きに弾体４前段を施圧するよう制御され、弾体４を精確に弾込めして３点のガイド位置決めを形成できるようにし、弾体４が歪み誤差を発生することを回避し、弾体４の発射が発生する自転速度を向上し（図８参照）、射程、有効な運動エネルギー及び命中率を向上させる。
【００２０】
図９及び図１０を参照し、これは、もう１つの好適実施例が同様に銃管１及びもう１つの摺動スリーブ２’を含み、図に示すように、摺動スリーブ２’は、中空状弾性筒体２１’及び筒口２５’を有し、銃管１の一端に被せ置き、該筒体２１’内部に内向きに銃管１の相対する溝孔１２に伸入する摺動部２２’を設け、摺動スリーブ２’内部に嵌合溝１４に対応して組み合わさる複数の嵌合部２４’を設け、摺動スリーブ２’内部の銃管１の一端の予備摺動部２２’の間に位置決め凸部２３’を設け、位置決め凸部２３’を内向きに銃管１の溝孔１２及び銃腔１１内に伸入させ、摺動スリーブ２’の位置決め凸部２３’は、両側を互いに隔てる突出部として設けることができる。
【００２１】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００２２】
＜本考案＞
１  銃管
１１  制御装置
１１  銃孔
１２  溝孔
１３  ガイド溝
１４  嵌合溝
１５  溝辺
１６  径方向環溝
２  摺動スリーブ
２１  筒体
２２  摺動部
２３  位置決め凸部
２４  嵌合部
２５  筒口
２６  内凸リング
２’  摺動スリーブ
２１’  筒体
２２’  摺動部
２３’  位置決め凸部
２４’  嵌合部
２５’  筒口
３  弾押しノズル
４  弾体
＜従来技術＞
９１  銃管
９２  銃腔
９３  摺動部材
９４  弾押しノズル
９５  ＢＢ弾
【図１】
0003196048.tif 000003
【図２】
0003196048.tif 000004
【図３】
0003196048.tif 000005
【図４】
0003196048.tif 000006
【図５】
0003196048.tif 000007
【図６】
0003196048.tif 000008
【図７】
0003196048.tif 000009
【図８】
0003196048.tif 000010
【図９】
0003196048.tif 000011
【図１０】
0003196048.tif 000012